(57)【要約】  【課題】  デジタル放送に多重伝送される付加情報を効率的に取得する。  【解決手段】  アナログ放送受信用のＶＨＦチューナ部１５とデジタル放送受信用のＵＨＦチューナ部１６を備え、アナログ放送番組を視聴している際に、ＵＨＦチューナ部１６でチャンネルを順次選局させると共に、受信した放送信号を復調部２５で復調させてトランスポート（ＴＳ）信号として出力し、ＴＳ分離部２６と番組情報取得部２９を動作させて、チャンネル毎に番組情報を順次取得してメモリ３０に記憶させる。また、番組情報を取得するためのチューナ部１６のチャンネル選局順序を、選局順次決定部８１によって決定するように構成した。  【選択図】 図１
2005079863.tif 000002
【特許請求の範囲】
【請求項１】
デジタル放送を受信する受信手段によって受信した映像信号を出力する第1の受信形態と前記デジタル放送の受信手段以外の手段によって得られる映像信号を出力する第２の受信形態とを切換える切換手段と、
前記第２の受信形態が実行されている状態において、前記受信手段によって受信されたデジタル放送信号から付加情報を取得する付加情報取得手段を備えたことを特徴とする放送受信装置。
【請求項２】
複数のチャンネルで構成されるデジタル放送を受信する受信手段によって受信した映像信号を出力する第１の受信形態と前記デジタル放送の受信手段以外の手段によって得られる映像信号を出力する第２の受信形態とを切換える切換手段と、
前記第２の受信形態が選択されている状態において、前記デジタル放送を受信する手段を前記複数のチャンネルが所定の順序で選局されるように選局順序を決定する制御手段と、
前記選局されたチャンネルの放送信号から付加情報を抽出する付加情報抽出手段と、
を具備したことを特徴とする放送受信装置。
【請求項３】
前記制御手段は、抽出する付加情報の情報量の大きさによって前記チャンネルの選局順序を決定するものであることを特徴とする請求項２に記載の放送受信装置。
【請求項４】
前記制御手段は、選局するチャンネルの受信頻度によって前記チャンネルの選局順序を決定するものであることを特徴とする請求項２に記載の放送受信装置。
【請求項５】
前記制御手段は、取得済みの付加情報の取得日時の古い順に、前記チャンネルの選局順序を決定するものであることを特徴とする請求項２に記載の放送受信装置。
【請求項６】
デジタル放送を受信して映像信号を出力する第1の受信手段と、
前記受信されたデジタル放送信号から付加情報を取得する付加情報取得手段と、
アナログ放送を受信して映像信号を出力する第２の受信手段と、
前記第１の受信手段と第２の受信手段とを選択的に動作させる切換手段と、
前記切換手段によって、前記第２の受信手段が動作するように切換られている状態において、自動的に前記第１の受信手段で前記デジタル放送を受信させると共に、前記付加情報取得手段で前記付加情報を取得させる制御手段と、
を具備したことを特徴とする放送受信装置。
【請求項７】
デジタル放送を受信するデジタル放送受信手段と、
このデジタル放送受信手段で受信された番組を構成する信号を視聴に供すべく出力するデジタル放送番組信号出力手段と、
前記デジタル放送受信手段で受信されたデジタル放送信号から付加情報を取得する付加情報取得手段と、
アナログ放送を受信するアナログ放送受信手段と、
このアナログ放送受信手段で受信された番組を構成する信号を視聴に供すべく出力するアナログ放送番組信号出力手段と、
前記デジタル放送受信手段及びデジタル放送番組信号出力手段と前記アナログ放送受信手段及びアナログ放送番組信号出力手段とを選択的に動作させる切換手段と、
前記切換手段によって、前記アナログ放送受信手段及びアナログ放送番組信号出力手段が動作するように切換られている状態において、自動的に前記デジタル放送受信手段と前記付加情報取得手段を動作させて、前記付加情報取得手段で前記付加情報を取得させる制御手段と、
を具備したことを特徴とする放送受信装置。
【請求項８】
前記デジタル放送受信手段は、前記デジタル放送の複数のチャンネルを受信するものであり、前記制御手段は、当該チャンネルを所定順序で選局して該チャンネル毎に前記付加情報を取得するものであることを特徴とする請求項７に記載の放送受信装置。
【請求項９】
デジタル放送を受信して映像信号を出力する第1の受信形態と前記デジタル放送の受信手段以外の手段によって得られる映像信号を出力する第２の受信形態とを切換えるステップと、
前記第２の受信形態が実行されている状態において、前記デジタル放送信号を受信して付加情報を取得するステップと、
を備えたことを特徴とする放送受信方法。
【請求項１０】
複数のチャンネルで構成されるデジタル放送を受信して映像信号を出力する第１の受信形態と前記デジタル放送の受信手段以外の手段によって得られる映像信号を出力する第２の受信形態とを切換えるステップと、
前記第２の受信形態が選択されている状態において、前記デジタル放送の複数のチャンネルを所定の順序で選局するステップと、
前記選局されたチャンネルの放送信号から付加情報を抽出するステップと、
を具備したことを特徴とする放送受信方法。
【請求項１１】
デジタル放送を受信して映像信号を出力する動作状態とアナログ放送を受信して映像信号を出力する動作状態とを選択的に切換えるステップと、
前記アナログ放送が受信されて映像信号が出力されている動作状態において、前記デジタル放送を受信して当該デジタル放送に多重伝送される付加情報を取得するステップと、
を具備したことを特徴とする放送受信方法。
【発明の詳細な説明】
【技術分野】
【０００１】
この発明は、デジタル放送を受信し、番組を構成する映像及び音声データに多重されて伝送される番組に関連する情報等を含む付加情報を抽出して利用する放送受信装置に関し、特に、その付加情報を効率的に抽出することができるようにした放送受信装置及び放送受信方法に関する。
【背景技術】
【０００２】
現在、デジタル信号によって送受信を行うデジタル放送が実用化されている。この放送においては、動画像符号化標準方式であるＭＰＥＧ（Moving Picture Experts Group）２方式が採用され、高能率圧縮符号化された複数チャンネルの符号化画像データを多重して伝送する多チャンネルのデジタル伝送システムを実現している。このＭＰＥＧ２方式を用いたシステムについては、「ＩＳＯ／ＩＥＣ １３８１８−１」の文献などに記載されている。
【０００３】
放送局側では、番組を構成するデジタル映像・音声データ及び付加情報データを上述した圧縮方式によりそれぞれ圧縮処理を施し、ＴＳ（トランスポートストリーム）という形式の多重信号を生成して放送する。
【０００４】
さらに、この多重信号に加え、番組情報データとして番組に関する記述が記載されているＰＭＴ（Program Map Table）、各番組のＰＭＴを抽出するＰＡＴ（Program Association Table）、有料放送に関連した情報が記載されているＣＡＴ（Conditional Access Table）及び使用しているネットワークに関する情報が記載されているＮＩＴ（Network Information Table）等のデータも時分割多重される。
【０００５】
さらに、番組情報データには、編成チャンネルに関する情報が記載されているＳＤＴ（Service Description Table）、番組名称、放送日時、番組内容説明など番組に関連する情報が記載されているＥＩＴ（Event Information Table）等のデータも含まれ同様に時分割多重される。
【０００６】
ＰＡＴ、ＰＭＴ、ＮＩＴ、ＣＡＴは、番組特定情報（ＰＳＩ：Program Specific Information）と呼ばれ、ＳＤＴ、ＥＩＴ等は、番組配列情報（ＳＩ：Service Information）と呼ばれている。ＰＳＩ、ＳＩに含まれる情報は、例えばＥＰＧ（Electronic Program Guide）の番組表を構築するために利用される。
【０００７】
また、複数のＴＳを多重化した集合として伝送する伝送形態が規定されており、異なる放送局からのＴＳを多重化して１つのネットワークとして規定し、ネットワーク識別値と共に伝送する方式が採用されている。
【０００８】
ＳＩには、ネットワーク内で放送を行っている全ての放送局の番組情報をネットワーク内の全ＴＳで一斉に送信する全局ＳＩと、自局の放送予定番組に関する情報のみを自局のＴＳ内のみで送信する各局ＳＩがある。全局ＳＩは、ネットワーク毎に送出される。
【０００９】
全局ＳＩで伝送される情報は、情報量に制限があるため最小限に限られいるが、受信機ではこの全局ＳＩにより、受信していないチャンネルの番組情報に関しても、同一ネットワーク内であるならば取得することができる。
【００１０】
ＥＩＴは、周期的に再送信されている。周期は変更される場合があり、最小、最大の範囲が規定されている。最低で１周期の時間にわたり所望のＴＳで送出されている番組のチャンネルを連続受信し全局ＳＩとしてのＥＩＴを取得することにより、そのチャンネルが存在するネットワーク内の番組情報の取得が可能になる。
【００１１】
周期は情報の内容ごとに異なり非常に遅い場合もあるが、分単位になる情報もある。これらの信号形式に関しては、例えば、デジタル放送の運用規定として「ＡＲＩＢ  ＴＲ−Ｂ１５」や、「ＡＲＩＢ  ＴＲ−Ｂ１４」の文献などに記載されている。
【００１２】
すなわち、番組を構成する映像・音声データは、リアルタイムで順次更新されながら垂れ流し的に伝送されるものであるが、付加情報データの中にはＥＩＴのように周期的に伝送されるものがあり、このようなデータはある一定期間においては、いつでも同じ内容の情報をユーザに提供できるように繰り返し伝送される。すなわち、データカルーセル伝送方式で送られるものであり、テレビジョン受信機では、順次送られてくるデータを受信して蓄積し、全てのデータを受信してからそれを利用する。
【００１３】
データカルーセル伝送方式では、データが所定周期で繰返して伝送されるため、データの取得をいつ開始しても、周期に相当する一定の時間を経過すれば、必要な全てのデータを取得することが可能である。その一方で、データを利用するには、原則的には、全てのデータの受信が完了していることが条件となる。
【００１４】
ところで、デジタル放送の実用化によって多くの情報が送信できることに伴い番組の多チャンネル化が進み、番組情報を提示する番組表（ＥＰＧ）の機能や、番組の検索を行いその内容を提示することによりユーザが見たい番組を容易に選択することを可能にするジャンル検索機能等の有用性が高まっている。
【００１５】
番組表は、受信機に蓄積された情報から特定の時間帯に放送される予定の番組をチャンネル毎の一覧表として構築して表示するものである。ジャンル検索は、ユーザが番組のジャンル分類を指定することにより、そのジャンル分類に基づき、受信機に蓄積されている全番組情報データの中から該当する番組を絞り込み検索し、結果として得られた番組情報を表示する機能である。
【００１６】
しかしながら、複数のネットワークが放送される形態において、全てのネットワーク、あるいはその中の所望の複数ネットワークに跨って番組情報の検索を行い、抽出条件に一致した番組内容の提示を行おうとした場合、受信していないＴＳを含んでいるネットワークの情報は取得できないため、視聴中の番組の放送が終了した段階で、改めて、各ネットワーク毎にその中の１つのＴＳを受信して送出される各局ＳＩとしてのＥＩＴ情報を取得するという作業を、選択対象としたい全てのネットワークについて実行しなければならない。
【００１７】
その作業は、具体的には、まず１つのネットワークの中の代表チャンネルを選局し、そのネットワーク内のＥＩＴ情報を取得し全ての情報が蓄積できるまで、最低でもＥＩＴ送出周期の時間はチャンネルを固定し、取得が完了した後に次のネットワークの代表チャンネルを選局し、全てのＥＩＴ情報が蓄積されるまで選局し続けるという作業を、対象としたい全てのネットワークに関して行うことになる。
【００１８】
したがって、情報を取得したい範囲の全てのネットワークに関しての番組情報が得られるまでには、最大で、各ネットワークのＥＩＴ送出周期の合計時間分が必要であり、相当な時間がかかることになる。また、ＥＩＴの送出周期は変更される場合があり完了するまでの時間は特定できない。
【００１９】
この時、ユーザは相当時間待たされることになり、視聴したい番組が存在する場合、番組情報の取得を中断しなければならないという状況に陥ることになる。
【００２０】
将来、テレビジョン放送においては、地上波アナログ放送が２０１１年を目途に取り止めになるということが決定されているが、それまでは、テレビジョン地上波放送は、アナログ放送とデジタル放送が混在する状況にあり、テレビジョン受信機としても、両放送を受信できる機能を備えたものが市場に提供されるものと考えられる。
【００２１】
また、このようなアナログ地上波放送と、デジタル地上波放送が混在する状況においては、原則として両放送で同じ内容の番組を放送することになっており、アナログ放送を受信して番組を視聴中に、デジタル放送を受信して番組情報を取得することは可能である。また、アナログ放送の視聴以外にも、デジタル放送を視聴していない状態としては、例えばＤＶＤ（Digital Versatile Disc）で再生した番組を視聴している状態があり、そのような場合にも、デジタル放送を受信して番組情報を取得することは可能である。
【００２２】
以上のように、地上波デジタル放送を含む複数の放送を受信可能な装置において、デジタル放送を視聴せず、他の放送あるいは媒体から得られる番組を視聴している状態においては、番組情報を取得することが自由に実行できるものであり、ユーザの要求によって番組情報取得処理を行なう機能を装備すれば、使い勝手の良好な装置を提供することができるが、従来そのような受信装置は実用に供されていない。
【００２３】
従来、例えば、特許文献１には、ユーザ用チューナと、番組情報取得用のチューナを備え、この番組情報取得用のチューナで番組情報を取得して記憶するようにした提案がなされているが、この場合、番組情報取得用のチューナは、その目的のためにのみ使われるものであって、非効率的である。また、番組情報の取得処理も、順次チャンネルを切換えて、記憶するだけであって、効率的であるとは言い難い。
【特許文献１】特開２００２−１６３８４９号公報（３頁、図２）
【発明の開示】
【発明が解決しようとする課題】
【００２４】
以上のように、従来、番組情報を経済的に、かつ効率的に取得することが可能な受信装置がなく、その実用化が強く要望されている。
【００２５】
本発明は、以上の点に考慮してなされたものであり、デジタル地上波放送を受信すると共に、デジタル放送以外で提供される信号を利用することが可能な装置を用いて、デジタル放送の番組を受信していない状態において、デジタル放送を受信して番組情報を取得するように構成することにより、経済的無駄のない構成の放送受信装置及び受信方法を提供することを目的とする。
【課題を解決するための手段】
【００２６】
本発明の放送受信装置は、デジタル放送を受信する受信手段によって受信した映像信号を出力する第１の受信形態と前記デジタル放送の受信手段以外の手段によって得られる映像信号を出力する第２の受信形態とを切換える切換手段と、前記第２の受信形態が実行されている状態において、前記受信手段によって受信されたデジタル放送信号から付加情報を取得する付加情報取得手段を備えたことを特徴とする。
【００２７】
本発明の放送受信装置は、複数のチャンネルで構成されるデジタル放送を受信する受信手段によって受信した映像信号を出力する第１の受信形態と前記デジタル放送の受信手段以外の手段によって得られる映像信号を出力する第２の受信形態とを切換える切換手段と、前記第２の受信形態が選択されている状態において、前記デジタル放送を受信する手段を前記複数のチャンネルが所定の順序で選局されるように選局順序を決定する制御手段と、前記選局されたチャンネルの放送信号から付加情報を抽出する付加情報抽出手段と、を具備したことを特徴とする。
【００２８】
本発明の放送受信装置は、デジタル放送を受信して映像信号を出力する第1の受信手段と、前記受信されたデジタル放送信号から付加情報を取得する付加情報取得手段と、アナログ放送を受信して映像信号を出力する第２の受信手段と、前記第１の受信手段と第２の受信手段とを選択的に動作させる切換手段と、前記切換手段によって、前記第２の受信手段が動作するように切換られている状態において、自動的に前記第１の受信手段で前記デジタル放送を受信させると共に、前記付加情報取得手段で前記付加情報を取得させる制御手段と、を具備したことを特徴とする。
【００２９】
本発明の放送受信置は、デジタル放送を受信するデジタル放送受信手段と、このデジタル放送受信手段で受信された番組を構成する信号を視聴に供すべく出力するデジタル放送番組信号出力手段と、前記デジタル放送受信手段で受信されたデジタル放送信号から付加情報を取得する付加情報取得手段と、アナログ放送を受信するアナログ放送受信手段と、このアナログ放送受信手段で受信された番組を構成する信号を視聴に供すべく出力するアナログ放送番組信号出力手段と、前記デジタル放送受信手段及びデジタル放送番組信号出力手段と、前記アナログ放送受信手段及びアナログ放送番組信号出力手段とを選択的に動作させる切換手段と、前記切換手段によって、前記アナログ放送受信手段及びアナログ放送番組信号出力手段が動作するように切換られている状態において、自動的に前記デジタル放送受信手段と前記付加情報取得手段を動作させて、前記付加情報取得手段で前記付加情報を取得させる制御手段と、を具備したことを特徴とする。
【００３０】
本発明の放送受信方法は、デジタル放送を受信して映像信号を出力する第1の受信形態と前記デジタル放送の受信手段以外の手段によって得られる映像信号を出力する第２の受信形態とを切換えるステップと、前記第２の受信形態が実行されている状態において、前記デジタル放送信号を受信して付加情報を取得するステップと、を備えたことを特徴とする。
【００３１】
本発明の放送受信方法は、複数のチャンネルで構成されるデジタル放送を受信して映像信号を出力する第１の受信形態と前記デジタル放送の受信手段以外の手段によって得られる映像信号を出力する第２の受信形態とを切換える切換手段と、前記第２の受信形態が選択されている状態において、前記デジタル放送の複数のチャンネルを所定の順序で選局するステップと、前記選局されたチャンネルの放送信号から付加情報を抽出するステップと、を具備したことを特徴とする。
【００３２】
本発明の放送受信方法は、デジタル放送を受信して映像信号を出力する動作状態とアナログ放送を受信して映像信号を出力する動作状態とを選択的に切換えるステップと、前記アナログ放送が受信されて映像信号が出力されている動作状態において、前記デジタル放送を受信して当該デジタル放送に多重伝送される付加情報を取得するステップと、を具備したことを特徴とする。
【発明の効果】
【００３３】
本発明によれば、デジタル放送以外で提供される信号に基づく番組を視聴している状態で、デジタル放送に多重伝送される付加情報を取得するようにしたことにより、付加情報を効率的に、かつ確実に取得することができるようになるものである。
【発明を実施するための最良の形態】
【００３４】
以下、この発明の実施例を図面を参照しながら説明する。図１は、本発明の放送受信装置の一実施の形態を示す回路構成図である。
【００３５】
図１において、放送受信装置１０は、アナログ地上波放送受信用のＶＨＦ（Very High Frequency）アンテナ１１からの信号をケーブルを介して受けるＶＨＦアンテナ入力端子１２と、デジタル地上波放送受信用のＵＨＦ（Ultrahigh Frequency）アンテナ１３からの信号をケーブルを介して受けるＵＨＦアンテナ入力端子１４を有する。
【００３６】
ＶＨＦアンテナ入力端子１２は、ＶＨＦチューナ部１５に接続され、ＶＨＦアンテナ１１でキャッチされた放送電波が信号としてＶＨＦチューナ部１５に供給される。ＶＨＦチューナ部１５で、チャンネルの選局と、選局されたチャンネルの受信信号を中間周波数信号へ変換する処理が実行される。
【００３７】
また、ＵＨＦアンテナ入力端子１４は、ＵＨＦチューナ部１６に接続され、ＵＨＦアンテナ１３でキャッチされた放送電波が信号としてＵＨＦチューナ部１６に供給される。ＵＨＦチューナ部１６では、チャンネルの選局と、選局されたチャンネルの受信信号を中間周波数信号へ変換する処理及び、中間周波数信号のデジタル信号への変換処理が行なわれる。
【００３８】
ＶＨＦチューナ部１５と、ＵＨＦチューナ部１６の選局動作は、制御部１７からの選局信号によって実行される。制御部１７は、放送受信装置１０全体の機能及び動作の調整と制御を司るものであり、例えばＣＰＵ（Central Processing Unit）によって構成される。
【００３９】
制御部１７には、ユーザが操作可能な複数の操作ボタンで構成される操作入力部１８と、リモートコントローラ１９からのリモコン信号を受けるリモコン受光部２０が接続され、それぞれからユーザの操作によって受信装置１０を制御するための信号を受ける。
【００４０】
ＶＨＦチューナ部１５の出力はアナログ復調部２１に供給されてベースバンドのテレビジョン信号に変換される。アナログ復調部２１から出力されるベースバンドのテレビジョン信号のうち、映像信号が映像信号処理部２２で所定の処理を施され、映像信号選択処理部２３を介してディスプレイ２４に供給されて表示される。
【００４１】
映像信号選択処理部２３は、デジタル放送の受信映像信号あるいは、番組表等の映像信号を選択して、所定の処理を施してディスプレイ２４に供給するものであるが詳細は後述する。また、音声信号に関しては、復調部２１から図示しない処理部を介してスピーカ等の出力手段によって音声として出力されるが、本発明とは直接関係ないので詳細な説明は省略する。
【００４２】
ＵＨＦチューナ部１６からの出力は、デジタル放送信号の復調部２５に供給されて、ここで、ＯＦＤＭ（Orthogonal Frequency Division Multiplexing）復調と誤り訂正、及び必要に応じてデスクランブル処理が施されＴＳ信号として出力される。
【００４３】
復調部２５から出力されるＴＳ信号は、ＴＳ分離部２６に供給され、ここで、制御部１７の制御の下、番組を構成する映像データ、音声データ及び付加情報が分離される。番組を構成する映像データは、ＭＰＥＧデコーダ２７に供給されて、ここで制御部１７の制御に基づいてＭＰＥＧ２の復号処理が施され、非圧縮のデジタル信号に変換されてグラフィック処理部２８に供給される。
【００４４】
グラフィック処理部２８でデジタル映像信号に所定の処理を施し、映像信号選択処理部２３に供給され、ここで、例えば標準フォーマットのテレビジョン信号に変換されてディスプレイ２４に供給されて表示される。
【００４５】
なお、ＭＰＥＧデコーダ２７からは、音声データも非圧縮のデジタル信号に変換されて出力され、図示しない処理部で所定の処理を施し、アナログ信号に変換してスピーカ等の出力手段を介して出力されるものであるが、詳細は省略する。
【００４６】
さらに、ＴＳ分離部２６からは、制御部１７の制御の下、番組情報も分離され、これが番組情報取得部２９で取得される。取得された番組情報は、制御部１７を介してメモリ３０に蓄えられる。さらにメモリ３０に蓄えられた番組情報は、制御部１７の制御の下に読み出されて、番組情報取得部２９から番組表作成部３１に供給され、ここでＧＵＩ（Graphical User Interface）形式の番組表として構築されてグラフィック処理部２８に供給される。
【００４７】
グラフィック処理部２８は、制御部１７の制御によって、ＭＰＥＧデコーダ２７からの映像データをそのまま出力するか、その映像データに番組表作成部３１からの番組表を重畳して出力するか、または、番組表作成部３１からの番組表をそのまま出力するか切換える機能を備えている。
【００４８】
その結果、番組表は単独で、またはデジタル映像信号に重畳された状態でディスプレイ２４で表示される。
【００４９】
さらに、放送受信装置１０は、例えばＶＴＲ（Videotape Recorder）あるいはＤＶＤからの再生信号が供給される外部入力端子３３，３４を備える。外部入力端子３３は、アナログ映像信号用の入力端子であり、映像信号処理部２２に接続されている。また、外部入力端子３４は、デジタル映像信号用の入力端子であり、グラフィック処理部２８に接続されている。
【００５０】
例えば図示しない外部ＶＴＲからのアナログ信号による番組を視聴する場合は、制御部１７は、映像信号処理部２２を制御して、外部入力端子３３に供給されるアナログ映像信号を選択して映像信号選択処理部２３に導出させる。それと共に、映像信号選択処理部２３を制御して、映像信号処理部２２から供給される映像信号をディスプレイ２４に供給して表示させる。
【００５１】
同様に、例えば図示しないＤＶＤからのデジタル信号による番組を視聴する場合には、制御部１７は、グラフィック処理部２８を制御して、外部入力端子３４に供給されるデジタル映像信号を選択して映像信号選択処理部２３に導出させる。それと共に、映像信号選択処理部２３を制御して、グラフィック処理部２８から供給される映像信号をディスプレイ２４に供給して表示させる。なお、外部入力信号は、当然ながら、音声信号も存在するものであるが説明を分かり易くするために、ここでは省略する。
【００５２】
図２は、図１に示すリモートコントローラ１９のボタンの構成を具体的に示す図面である。図２に示すように、リモートコントローラ１９は、放送を選択するための放送選択ボタン群１９ａと、チャンネルを直接選択する場合等に操作する数字ボタン群１９ｂを備える。
【００５３】
また、リモートコントローラ１９は、番組表を表示させるためのリモコン信号を送信する「番組表ボタン」１９ｃと、選局順序の設定を実行させる「選局順序ボタン」１９ｄと、設定のための画面を表示させる「設定ボタン」１９ｅを有する。さらに、画面表示された設定項目をカーソルで選択するための「カーソルボタン」１９ｆと、カーソルボタン１９ｆで選択された項目を登録するための「決定ボタン」１９ｇと、登録された設定項目を削除するための「削除ボタン」１９ｈと、外部入力信号を視聴するための「ビデオボタン」１９ｉと、放送受信装置１０の電源をオンオフさせるための「電源ボタン」１９ｊを備える。
【００５４】
今、リモートコントローラ１９の電源ボタン１９ｊを操作して、受信装置１０の電源をオンさせると、受信装置１０は、アナログ放送を受信するように設定される。すなわち、制御部１７は、ＶＨＦチューナ部１５に選局信号を与えて所定のチャンネルの選局を実行させ、かつ映像信号処理部２２から出力される映像信号に基づく映像がディスプレイ２４で表示されるように映像信号選択処理部２３を制御する。電源オン後のチャンネル選択は、リモートコントローラ１９の数字ボタン群１９ｂの操作で行なう。
【００５５】
アナログ放送の番組を視聴している状態において、制御部１７は、番組情報の取得処理を実行させるべく、放送受信装置１０内の必要な各回路部を駆動する。すなわち、ＵＨＦチューナ部１６と、復調部２５と、ＴＳ分離部２９と、番組情報取得部２９を動作させ、まず、デジタル地上波放送の所定のチャンネル（例えば最も周波数の低いチャンネル）を選局する。
【００５６】
そしてそのチャンネルの放送信号に多重伝送される番組情報をＴＳ分離部２６で分離させ、その番組情報を番組情報取得部２９で取得してメモリ３０に記憶させる。次に、チャンネルの切換え（次に周波数が低いチャンネルへの切換え）を行なって、同様に、番組情報を取得してメモリ３０に記憶させる。そのように、全てのチャンネルの番組情報の取得とメモリ３０への記憶処理が終了することで、番組情報の取得が完了することになる。
【００５７】
なお、地上波デジタル放送においては、前述したように、ネットワークという概念が規定されており、チャンネルが異なっても同じネットワークであるならば、番組情報は全く同じものが伝送されることがある。したがって、同じ番組情報を伝送するチャンネルが予め判明していれば、そのチャンネルについては、番組情報の取得を省略することも可能である。
【００５８】
以上のようにして、地上波デジタル放送の番組情報を取得した後、ユーザがリモートコントローラ１９の「番組表ボタン」１９ｃを操作すると、制御部１７は、リモコン受光部２０を介して受信したリモコン信号を解読し、番組表を表示するために装置１０内の必要な回路部分を駆動する。すなわち、メモリ３０から番組情報を読み出して、番組表作成部３１で番組表に構築して、グラフィック処理部２８、映像信号選択処理部２３を介してディスプレイ２４で表示させる。
【００５９】
ユーザは、表示された番組表から、所望の番組をリモートコントローラ１９のカーソルボタン１９ｆと決定ボタン１９ｇによって選択することで、その選択された番組が放送中の番組であるならば、その番組が視聴されるようにチャンネルの切換えとその他の処置が実行される。また、選択された番組が、将来放送される番組であるならば、録画予約あるいは視聴予約が可能となる。
【００６０】
アナログ放送を視聴している状態から、デジタル放送を視聴する状態に切換える場合には、リモートコントローラ１９の放送選択ボタン群１９ａの「デジタル放送」ボタンを操作する。それによって、制御部１７は、デジタル放送の視聴が実行可能となるように、装置１０の各部を駆動する。すなわち、ＵＨＦチューナ部１６、復調部２５、ＴＳ分離部２６、ＭＰＥＧデコーダ２７を動作させると共に、グラフィック処理部２８をＭＰＥＧデコーダ２７からの映像データを選択するように制御し、さらに映像信号選択処理部２３を、グラフィック処理部２８からの信号を選択処理してディスプレイ２４に表示させるように制御する。
【００６１】
同時に、制御部１７は、ＴＳ分離部２６と番組情報取得部２９を動作させて、ＵＨＦチューナ部１６で受信しているチャンネルに含まれる番組情報を取得して、メモリ３０に書き込む。
【００６２】
デジタル放送を受信している状態においては、選局されたチャンネルの番組情報しか取得できないが、新規な情報が取得できれば、そのチャンネルのみであっても、メモリ３０に記憶した番組情報を更新しておくことは無駄ではない。
【００６３】
また、外部入力端子３３，３４に供給される信号を視聴する場合には、リモートコントローラ１９の「ビデオボタン」１９ｉを操作する。それによって、制御部１７は、リモコン受光部２０を介して受信したリモコン信号を解読して、例えば、外部入力端子３３に供給された信号を視聴すべく、映像信号処理部２２と、映像信号選択処理部２３を制御する。
【００６４】
リモートコントローラ１９の「ビデオボタン」１９ｉをもう一度操作すると、外部入力端子３４に供給される信号を視聴するように設定される。すなわち、制御部１７は、外部入力端子３４に供給された信号が、ディスプレイ２４で表示されるように、グラフィック処理部２８と映像信号選択処理部２３を制御する。
【００６５】
外部入力端子３３，３４に供給される信号を視聴している状態においては、アナログ放送を受信している状態と同様に、ＵＨＦチューナ部１６他を駆動して、デジタル放送の番組情報を取得することが可能である。
【００６６】
図３は、図１に示す装置の動作を説明するためのフローチャートである。図３において、ステップＳ３０１で開始され、ステップＳ３０２で、地上波アナログ放送の番組を視聴しているか否かの判定がなされる。
【００６７】
地上波アナログ放送の番組の視聴が行なわれている場合、ステップＳ３０３で、ＵＨＦチューナ部１６で地上波デジタル放送のチャンネルを選局し、ステップＳ３０４に移って番組情報を取得する。次いで、ステップＳ３０５で地上波デジタル放送の番組の視聴を行なうべく切換えが行なわれたか否かの判定がなされ、依然としてアナログ放送の視聴が継続されていると判定されたら、ステップＳ３０６でＵＨＦチューナ部１６の選局チャンネルを更新して、ステップＳ３０３に戻る。
【００６８】
ステップＳ３０５で、地上波デジタルデジタル放送番組の視聴を行なうように切換えられたと判断された場合には、ステップＳ３０７で、視聴されている地上波デジタル放送の番組に多重伝送されている番組情報を取得して、ステップＳ３０８で処理を終了する。
【００６９】
ステップＳ３０２で、地上波アナログ放送番組の視聴をしていないと判断された場合には、そのまま処理を終了する。
【００７０】
また、図１の装置においては、外部入力端子３３，３４に供給された信号を視聴している状態では、地上波アナログ放送を視聴している状態と同様に、ＵＨＦチューナ部１６を自由に駆使して、番組情報を取得することが可能である。その外部入力端子３３，３４からの信号を視聴している状態も含めた全体の動作について、図４に示すフローチャートに基づき説明する。
【００７１】
図４において、ステップＳ４０１で開始され、ステップＳ４０２で、地上波アナログ放送の番組を視聴しているか否かの判定がなされる。
【００７２】
地上波アナログ放送の番組の視聴が行なわれている場合、ステップＳ４０３で、ＵＨＦチューナ部１６で地上波デジタル放送のチャンネルを選局し、ステップＳ４０４に移って番組情報を取得する。次いで、ステップＳ４０５で地上波デジタル放送の番組の視聴を行なうべく切換えが行なわれたか否かの判定がなされ、依然としてアナログ放送の視聴が継続されていると判定されたら、ステップＳ４０６でＵＨＦチューナ部１６の選局チャンネルを更新して、ステップＳ４０３に戻る。
【００７３】
ステップＳ４０５で、地上波デジタルデジタル放送番組の視聴を行なうように切換えられたと判断された場合には、ステップＳ４０７で、視聴されている地上波デジタル放送の番組に多重伝送されている番組情報を取得し、次いでステップＳ４０８で、受信装置１０の電源がオフになったか否かの判定がなされ、電源がオンのままであるならば、ステップＳ４０２に戻り、電源がオフになったこととが判定されたら、ステップＳ４０９で処理を終了する。
【００７４】
また、ステップＳ４０２で、地上波アナログ放送番組の視聴をしていないと判断された場合には、ステップＳ４１０で外部入力信号の視聴が行なわれているか否かの判定がなされ、外部入力信号の視聴が行なわれている場合には、ステップＳ４０３に移ってデジタル放送のチャンネルをサーチしながら番組情報を取得する処理に移行する。
【００７５】
ステップＳ４１０で、外部入力信号の視聴が行なわれていないと判定された場合には、デジタル放送の視聴が実行されていると判断して、ステップＳ４０７に移って、視聴中のデジタル放送に多重される番組情報を取得する。
【００７６】
以上説明した図１に示す放送受信装置１０によれば、デジタル放送の番組を視聴していないときに、デジタル放送に多重される番組情報を取得するように構成したので、効率的にかつ確実に番組情報を取得することができるものである。
【００７７】
また、以上説明した装置１０においては、アナログ放送の番組を視聴している状態及び外部入力信号の番組を視聴している状態において、番組情報を自動的に取得するものとして説明したが、番組情報を取得するか否かをユーザに選択させることも可能であり、そのような実施の形態について、図５及び図６を参照して説明する。
【００７８】
図５は、番組情報の取得処理を実行するか否かを、ユーザに予め設定させる機能を備えた受信装置の回路ブロック図である。図５において、図１に示す装置１０と同一回路構成部分に同じ符号を付して詳細な説明は省略する。
【００７９】
図５において、放送受信装置５０は、図１に示す装置１０に対して、設定画面作成部５１を備えている点が異なる。設定画面作成部５１は、ＧＵＩ形式の番組情報取得機能設定用の表示を行う映像信号を生成する。設定画面の例を図６に示す。図６において、ディスプレイ２４には、メッセージとして、「地上波アナログ放送視聴時に、地上波デジタル放送の各チャンネルの番組情報を取得しますか？」との表示され、画面上その下に、「はい」と「いいえ」の選択項目が表示される。
【００８０】
ユーザが、リモートコントローラ１９の「設定ボタン」１９ｅを操作すると、制御部１７が、リモコン受光部２０で受信されたリモコン信号を解読して、設定画面作成部５１を制御し、図６に示す設定画面を構成する映像信号を出力させる。その映像信号はグラフィック処理部２８、映像信号選択処理部２３を介してディスプレイに供給されて表示される。図６に示す設定画面は、ＧＵＩ形式で構成されており、ユーザは、リモートコントローラ１９のカーソルボタン １９ｆと決定ボタン１９ｇを操作して、画面表示された「はい」か「いいえ」を選択する。選択された結果は、メモリ３０に記憶される。
【００８１】
「はい」が選択されて、アナログ放送視聴時にデジタル放送の番組情報を取得するように設定されたとすると、図１の装置１０で説明したように、アナログ放送番組の視聴時に、ＵＨＦチューナ部１６他の番組情報取得用の回路部が駆動されて、デジタル放送の各チャンネルの番組情報が自動的に取得され、メモリ３０に記憶されるようになる。
【００８２】
また、「いいえ」が選択されて、アナログ放送視聴時にデジタル放送の番組情報を取得しないように設定されたとすると、アナログ放送の視聴時に、ＵＨＦチューナ部１６他の番組情報取得用の回路部は駆動されずに、番組情報が取得されることはない。
【００８３】
図７は、図５に示す受信装置５０の動作を説明するためのフローチャートである。図７において、ステップＳ７０１で開始され、ステップＳ７０２で、リモートコントローラ１９の「設定ボタン」１９ｅを押す。次いで、ステップＳ７０３で、番組情報自動取得設定画面を表示させ、ステップＳ７０４で番組情報自動取得機能を設定するか否かの判定を行う。
【００８４】
ステップＳ７０４で、番組情報自動取得機能が設定されたと判定されたら、ステップＳ７０５で、地上波アナログ放送の視聴が行われているか否かの判定がなされて、地上波アナログ放送番組の視聴が行なわれている場合、ステップＳ７０６でＵＨＦチューナ部１６によって地上波デジタル放送のチャンネルを選局し、ステップＳ７０７に移って番組情報を取得する。次いで、ステップＳ７０８で地上波デジタル放送番組の視聴を行なうべく切換えが行なわれたか否かの判定がなされ、依然としてアナログ放送の視聴が継続されていると判定されたら、ステップＳ７０９でＵＨＦチューナ部１６の選局チャンネルを更新して、ステップＳ７０６に戻る。
【００８５】
ステップＳ７０８で、地上波デジタル放送番組の視聴を行なうように切換えられたと判断された場合には、ステップＳ７１０で、視聴されている地上波デジタル放送の番組に多重伝送されている番組情報を取得して、ステップＳ７１１で処理を終了する。
【００８６】
ステップＳ７０４で番組情報自動取得機能の設定がなされなかったと判定された場合、及びステップＳ７０５で地上波アナログ放送を視聴していないと判定された場合には、ステップＳ７１１で処理を終了する。
【００８７】
なお、図５の放送受信装置５０では、アナログ放送の視聴を行っている際に、番組情報を自動取得するか否かの設定をするようにしたが、アナログ放送の視聴に加えて、外部入力端子３３，３４に供給された信号を視聴している場合に、番組情報を自動取得するか否かの設定を行うように構成してもよいものである。
【００８８】
以上のように、図５に示す受信装置５０においては、番組情報を自動取得するか否かの設定を行うことができるようにしたので、ユーザが不必要と判断すれば、番組情報の自動取得を停止させることができるものである。
【００８９】
図８は、本発明の放送受信装置のさらに他の実施の形態を示す回路ブロック図である。図８において、図１と同一回路構成部分に同一符号を付して詳細な説明は省略する。
【００９０】
図８に示す受信装置８０は、図１の受信装置１０に対して、選局順序決定部８１を備えている点が異なる。すなわち、受信装置８０は、番組情報を取得する際に、ＵＨＦチューナ部１６のチャンネルの選局順序を、選局順序決定部８１からの指示によって決定するものである。
【００９１】
選局順序決定部８１には、番組情報取得部２９で取得された番組情報が制御部１７を介して供給される。選局順序決定部８１に供給された番組情報から、各チャンネル毎の番組情報の情報量を特定して、番組情報の情報量の少ない順にチャンネルを特定し、選局順序として決定する。
【００９２】
その結果、デジタル放送の番組情報が、情報量の少ないチャンネルから順次取得されるようになるため、番組情報が効率的に取得されるようになるものである。
【００９３】
例えば、全てのチャンネルの番組情報の取得が完了しないうちに、アナログ放送の視聴からデジタル放送に視聴に切換えられると、番組情報の取得が途中で中断してしまうことになるが、情報量の少ないチャンネルから順次取得することで、番組情報を取得することができるチャンネル数を増やすことが可能になるものである。
【００９４】
図９は、図８の受信装置の動作を説明するためのフローチャートである。図９において、ステップＳ９０１で開始され、ステップＳ９０２で、地上波アナログ放送の番組を視聴しているか否かの判定がなされる。
【００９５】
地上波アナログ放送の番組の視聴が行なわれている場合、ステップＳ９０３で地上波デジタル放送のチャンネル選局順序を、番組情報量が少ないチャンネル順とし、ステップＳ９０４でＵＨＦチューナ部１６で地上波デジタル放送のチャンネルを選局する。
【００９６】
次いで、ステップＳ９０５で番組情報を取得し、ステップＳ９０６で地上波デジタル放送の番組の視聴を行なうべく切換えが行なわれたか否かの判定がなされ、依然としてアナログ放送の視聴が継続されていると判定されたら、ステップＳ９０７でＵＨＦチューナ部１６の選局チャンネルを更新して、ステップＳ９０４に戻る。
【００９７】
ステップＳ９０６で、地上波デジタル放送番組の視聴を行なうように切換えられたと判断された場合には、ステップＳ９０８で、視聴されている地上波デジタル放送の番組に多重伝送されている番組情報を取得して、ステップＳ９０９で処理を終了する。
【００９８】
ステップＳ９０２で、地上波アナログ放送番組の視聴をしていないと判断された場合には、そのまま処理を終了する。
【００９９】
なお、図８の受信装置８０では、番組情報を取得するための選局順序を番組情報量の少ないチャンネル順としたが、選局順位決定部８１としては、その他にも、選局順序を、視聴頻度の多いチャンネル順としたりあるいは、視聴時間の長いチャンネル順としたり、あるいは、取得済みの番組情報が古いチャンネル順等に設定することが可能である。
【０１００】
図８に示す受信装置８０によれば、番組情報を取得する際のチャンネル選局の順序を、番組情報量あるいは、実際の受信状況に合わせて決定するようにしたのでより効率的に番組情報を取得することができるものである。
【０１０１】
なお、以上の実施の形態では、番組情報を取得するように構成された受信装置について、説明したが、番組情報以外の付加情報を取得して利用する場合においても本発明は適用できるものである。その他、本発明は、その趣旨を変更しない範囲で種々実施可能である。
【図面の簡単な説明】
【０１０２】
【図１】本発明に係る放送受信装置の一実施の形態を示す回路構成図。
【図２】図１に示す装置に適用されるリモートコントローラの構成図。
【図３】図１に示す装置の動作を説明するためのフローチャート。
【図４】図１に示す装置の他の動作を説明するためのフローチャート。
【図５】本発明に係る放送受信装置の他の実施の形態を示す回路構成図。
【図６】図５に示す装置の動作を説明するための構成図。
【図７】図５に示す装置の動作を説明するためのフローチャート。
【図８】本発明に係る放送受信装置のさらに他の実施の形態を示す回路構成図。
【図９】図８に示す装置の動作を説明するためのフローチャート。
【符号の説明】
【０１０３】
１０，５０，８０…放送受信装置
１１…ＶＨＦアンテナ
１２…ＶＨＦアンテナ入力端子
１３…ＵＨＦアンテナ
１４…ＵＨＦアンテナ入力端子
１５…ＶＨＦチューナ部
１６…ＵＨＦチューナ部
【図１】
2005079863.tif 000003
【図２】
2005079863.tif 000004
【図３】
2005079863.tif 000005
【図４】
2005079863.tif 000006
【図５】
2005079863.tif 000007
【図６】
2005079863.tif 000008
【図７】
2005079863.tif 000009
【図８】
2005079863.tif 000010
【図９】
2005079863.tif 000011